(57)【要約】      （修正有）【課題】需要家に対して節電を行う動機付けやモチベーションを向上させる通信処理装置を提供する。【解決手段】データサーバの制御部１２１は、気象情報管理サーバからの天気に関する情報、アグリゲータサーバからの需要家のポイントに関する情報及び商品管理サーバからの商品に関する情報を受信する受信制御部３０１と、アグリゲータサーバから、ピーク等の時間帯の電力の使用の抑止に協力したことの対価として、需要家に付与したポイントの情報を取得するポイント取得部３０２と、ポイント取得部３０２が取得したポイントを、小売業者で商品を購入する際に金銭の代わりとして利用可能なポイントに変換するポイント変換部３０３と、気象情報管理サーバからの天気に関する情報、アグリゲータサーバからの需要家のポイントに関する情報及び商品管理サーバからの商品に関する情報に基づいて、需要家に送信するための広告情報を生成する広告生成部３０４を備える。【選択図】図４
2016126475.tif 000002
【特許請求の範囲】
【請求項１】
電力会社から供給される電力の使用を調整するアグリゲータが設けたアグリゲータサーバと、前記アグリゲータによる電力の使用の調整対象である需要家が有する通信端末と、前記需要家の家庭内における家電機器の操作履歴又は設定情報を蓄積する家庭内サーバと、に対して通信可能な通信処理装置であって、
前記アグリゲータサーバから電力の使用の抑止の要求を受信する第１の受信部と、
前記家庭内サーバから、前記操作履歴又は設定情報を受信する第２の受信部と、
前記第１の受信部が電力の使用の抑止の要求を受信した場合に、前記第２の受信部が受信した前記操作履歴又は設定情報に基づいて、当該需要家が有する通信端末に対して、前記電力の使用の抑止を行いたい時間帯に販売する商品に関する広告情報を送信する送信部と、
を備える通信処理装置。
【請求項２】
前記第２の受信部は、第１の需要家の家庭内に設けられた第１の家庭内サーバから、第１の操作履歴又は設定情報を受信し、第２の需要家の家庭内に設けられた第２の家庭内サーバから、第２の操作履歴又は設定情報を受信し、
前記送信部は、前記第１の操作履歴又は設定情報と、前記第２の操作履歴又は設定情報と、に基づいて、前記第１の需要家及び前記第２の需要家のうち、家庭内の電力の消費が大きいと推測される需要家が有する通信端末に対して、商品の広告情報を送信する、
請求項１に記載の通信処理装置。
【請求項３】
前記第２の受信部は、前記家庭内サーバから、前記操作履歴又は設定情報に基づいた、前記家庭内サーバが設けられた家庭内のテレビジョン表示装置における視聴情報を受信し、
前記送信部は、前記視聴情報に基づいた商品の広告情報を送信する、
請求項１に記載の通信処理装置。
【請求項４】
前記送信部により送信された第１の広告情報と、第１の広告情報を送信した後に前記第２の受信部が受信した前記操作履歴又は設定情報と、に基づいて、当該第１の広告情報を受け取った需要家が電力の使用の抑止を行いたい第１の時間帯に当該第１の広告情報で示された商品を購入したか否かを推測し、推測結果に基づいて、第２の時間帯に販売する商品に関する第２の広告情報を送信する、
請求項１に記載の通信処理装置。
【発明の詳細な説明】
【技術分野】
【０００１】
本発明の実施形態は、通信処理装置に関する。
【背景技術】
【０００２】
従来から、限られたエネルギー資源を有効利用するために、省エネルギーへの取り組みが重要であった。
【０００３】
近年、電力の需要家に節電してもらった場合に、需要家に対して節電量に応じた協力金を支払う仕組みが提案されている。また、協力金の代わりに、受け渡しが容易なポイントとして付与することが考えられる。
【先行技術文献】
【特許文献】
【０００４】
【特許文献１】特開２０１３−２３００５１号公報
【特許文献２】特開２０１３−２５３５９号公報
【発明の概要】
【発明が解決しようとする課題】
【０００５】
しかしながら、従来技術においては、協力金やポイントの付与を行うまでの技術であるが、需要家に対する、節電を行う動機付けやモチベーションについては考慮されていない。
【０００６】
本発明は、上記に鑑みてなされたものであって、需要家に対して節電を行う動機付けやモチベーションを向上させて、省エネルギーを推進させる通信処理装置を提案する。
【課題を解決するための手段】
【０００７】
実施形態の通信処理装置は、電力会社から供給される電力の使用を調整するアグリゲータが設けたアグリゲータサーバと、アグリゲータによる電力の使用の調整対象である需要家が有する通信端末と、需要家の家庭内における家電機器の操作履歴又は設定情報を蓄積する家庭内サーバと、に対して通信可能な通信処理装置であって、第１の受信部と、第２の受信部と、送信部と、を備える。第１の受信部は、アグリゲータサーバから電力の使用の抑止の要求を受信する。第２の受信部は、家庭内サーバから、操作履歴又は設定情報を受信する。送信部は、第１の受信部が電力の使用の抑止の要求を受信した場合に、第２の受信部が受信した操作履歴又は設定情報に基づいて、当該需要家が有する通信端末に対して、電力の使用の抑止を行いたい時間帯に販売する商品に関する広告情報を送信する。
【図面の簡単な説明】
【０００８】
【図１】図１は、第１の実施形態の電力管理システムの構成例を示した図である。
【図２】図２は、ネガワットの概念を例示した図である。
【図３】図３は、第１の実施形態のデータサービス業者のデータサーバで行われるポイントの交換サービスを例示した図である。
【図４】図４は、第１の実施形態のデータサーバの制御部が制御プログラムを実行することで実現される構成例を示した図である。
【図５】図５は、第１の実施形態の広告生成部がメールを生成する際の流れを例示した図である。
【図６】図６は、第１の実施形態のデータサーバの広告生成部により生成される、広告情報の第１の例を示した図である。
【図７】図７は、第１の実施形態のデータサーバの広告生成部により生成される、広告情報の第２の例を示した図である。
【図８】図８は、第１の実施形態の広告情報において、需要家毎に表示されるタイムセールの表示の違いを例示した図である。
【図９】図９は、第１の実施形態のデータサーバの制御部により生成される、節電情報を例示した図である。
【図１０】図１０は、第１の実施形態のデータサーバの広告生成部により生成される、広告情報の第３の例を示した図である。
【図１１】図１１は、第１の実施形態の電力管理システムにおける需要家に対して節電要求を行うまでの処理の手順を示すシーケンス図である。
【図１２】図１２は、第１の実施形態の電力管理システムにおける、需要家が行った節電から、当該需要家に対して広告を送信するまでの処理の手順を示すシーケンス図である。
【図１３】図１３は、第１の実施形態の電力管理システムにおける、需要家が節電行動に出るような広告情報を送信するまでの処理の手順を示すシーケンス図である。
【図１４】図１４は、第１の実施形態のデータサーバの広告生成部において、電力の消費が大きいと推定される需要家に対して優先的に広告情報を生成する処理の手順を示すシーケンス図である。
【発明を実施するための形態】
【０００９】
（第１の実施形態）
図１は、本実施形態の電力管理システムの構成例を示した図である。図１に示されるように、本実施形態の電力管理システムには、気象情報会社と、データサービス業者と、小売業者と、電力会社と、アグリゲータと、需要家と、が参加している。本実施形態では、通信処理装置を、電力管理システムの構成の一つであるデータサーバ１２０に適用した例について説明するが、通信可能な装置であればよい。
【００１０】
アグリゲータは、電力会社が想定よりも電力需要が上回ると推測した場合に、アグリゲータが契約している需要家に対して節電を要求し、電力会社が希望する時間帯（例えば、ピーク時間帯）の電力を低減させる。
【００１１】
ピーク時等に需要家に対して行われる節電要請は、デマンドレスポンス（以下、ＤＲとも称する）と称されている。そして、アグリゲータからの各需要家に対するデマンドレスポンスに従って、需要家が電力の使用を低減させることで生じた電力、換言すれば、節電で得られた電力は、ネガワットと称される。
【００１２】
図２は、ネガワットの概念を例示した図である。図２に示される電力の需要予測曲線２０１が、電力供給の上限を上回ると推測されるため、需要家に対して、デマンドレスポンスを要求した結果、使用電力曲線２０２で示される電力が使用された場合に、需要予測曲線２０１から使用電力曲線２０２を引いた差分が、ネガワットとして生じたことになる。
【００１３】
そして、本実施形態では、ピーク時等に使用される電力を低減させた場合、アグリゲータは、ネガワットを創出したことに対応する報酬を、需要家側に対して支払う。
【００１４】
本実施形態においては、アグリゲータが需要家に対して、ポイントや協力金として、報酬を支払うものとする。ポイントとは、マーケティング・プログラムで使用される一般的なインセンティブの一つであって、顧客が金銭の代わりとして使用可能な数値とする。本実施形態では、企業（例えばアグリゲータ、小売業者）が参加しているマーケティング・プログラム毎に異なる種類のポイントが与えられている。このため、アグリゲータが支払うポイントが、需要家が購入したい商品を販売している小売業者で使用できるとは限らない。そこで、本実施形態のデータサービス業者が、ポイントの変換サービスを提供する。
【００１５】
図３は、本実施形態のデータサービス業者のデータサーバ１２０で行われるポイントの交換サービスを例示した図である。図３に示されるように、本実施形態においては、アグリゲータと小売業者とは複数存在しても良い。上述したように、アグリゲータと、小売業者と、がそれぞれ異なるマーケティング・プログラムに参加している場合がある。このような場合に、データサービス業者のデータサーバ１２０は、需要家が使用したいポイントに変換するサービスを行う。
【００１６】
例えば、需要家が、第１のアグリゲータ４０１が提供するＡポイントを有している場合に、情報端末１８０からデータサーバ１２０にポイント変換サービスを要求する。この場合に、データサーバ１２０は、第１のアグリゲータ４０１が提供するＡポイントを、第１の小売業者４１１のＸポイントや、第２の小売業者４１２のＹポイントや、第３の小売業者４１３のＺポイントに変換する。この際に、データサーバ１２０は、需要家が保持する各アグリゲータや小売業者のポイントを記録する。また、需要家が、第２のアグリゲータ４０２のＢポイントや、第３のアグリゲータ４０３から提供された協力金等も、各小売業者４１１〜４１３のポイントに変換可能とする。
【００１７】
また、需要家が、データサーバ１２０のポイント変換サービスを利用するために、情報端末１８０に、ポイント用アプリケーション１８５を予めインストールしておく必要がある。これにより、需要家は、情報端末１８０から、ポイントに関する様々なサービスを利用可能となる。
【００１８】
ところで、ピーク時等に使用される電力を低減させたい場合に、ポイントを付与するのみでは、需要家を節電に誘導するのは難しい場合もある。そこで、本実施形態では、需要家に対してよりいっそう節電を働きかけるために、データサーバ１２０が、収集した情報に基づいて、需要家に対して、当該需要家の趣味嗜好に適合した広告情報を提示することとした。当該広告情報が、ピーク時間に店舗に行くことを促すことで、当該需要家の家庭内での消費電力の低減を実現できる。
【００１９】
図１に戻り、気象情報会社は、公衆ネットワーク１９８と接続可能な気象情報管理サーバ１１０を設けている。気象情報会社は、電力会社やアグリゲータに対して、天気に関する情報を提供する。気象情報管理サーバ１１０は、天気情報管理部１１１と、天候予測部１１２と、通信部１１３と、を備えている。
【００２０】
天気情報管理部１１１は、レーダー・衛星等から収集された天気に関する様々な情報を管理する。天候予測部１１２は、天気情報管理部１１１に管理された情報に基づいて、各地域の天気を予測する。通信部１１３は、電力管理サーバ１６０、アグリゲータサーバ１５０、及びデータサーバ１２０に対して、各地域の天気の予測結果を含む天気や気象に関する情報を送信する。
【００２１】
電力会社は、電力管理サーバ１６０を設けている。電力管理サーバ１６０は、通信部１６１と、制御部１６２と、を備えている。
【００２２】
通信部１６１は、他の装置との間で情報の送受信を行う。制御部１６２は、電力管理サーバ１６０全体を制御する構成であって、図示しない制御プログラムを実行することで、ＤＲ（デマンドレスポンス）制御部１６３と、ネガワット管理部１６４と、協力金演算部１６５と、を実現する。
【００２３】
ＤＲ制御部１６３は、気象情報管理サーバ１１０から送信される天気や気象に関する情報、現在供給している電力量、及び現在使用されている電力量、過去の同じような天候における電力使用量に基づいて、電力の供給量を、電力の使用量が上回る可能性があるか否かを判定する。ＤＲ制御部１６３が、電力の供給量を、電力の使用量が上回ると判定した場合に、通信部１６１を介して、アグリゲータサーバ１５０に対して、デマンドレスポンスの発動を要求する。
【００２４】
ネガワット管理部１６４は、デマンドレスポンスの発動により、創出されたネガワットを管理する。
【００２５】
協力金演算部１６５は、創出されたネガワットに対応する協力金を算出する。そして、協力金演算部１６５は、ネガワットを創出した需要家と契約しているアグリゲータに対して、通信部１６１を介して、協力金を支払うための制御を行う。
【００２６】
需要家の自宅には、電力管理端末１７０と、ホームゲートウェイ１９５と、を設けている。さらに、需要家は、情報端末１８０を所持している。本実施形態では、家庭内サーバとして、ホームゲートウェイ１９５を適用した例について説明するが、家庭内サーバをホームゲートウェイ１９５に制限するものではなく、家庭内の情報を収集し、外部機器に当該情報を出力可能な装置であれば良い。
【００２７】
電力管理端末１７０は、通信部１７１と、表示部１７２と、計測部１７３と、を備え、需要家の家庭や施設内における、電力を管理する。
【００２８】
計測部１７３は、需要家の家庭や施設内で使用されている家電機器毎の電力を計測する。表示部１７２は、計測部１７３による計測結果を表示する。
【００２９】
通信部１７１は、他の装置との間で情報の送受信を行う。例えば、通信部１７１は、計測部１７３による計測結果を、ホームゲートウェイ１９５に送信する。また、通信部１７１は、公衆ネットワーク１９８を介して、計測部１７３による計測結果を、電力会社の電力管理サーバ１６０およびアグリゲータサーバ１５０に送信する。
【００３０】
ホームゲートウェイ１９５は、需要家の家庭や施設内の家電機器を管理するためのサーバであって、電力管理端末１７０から送信される家電機器毎の電力の計測結果に基づいて、（図示しない）家庭や施設内のネットワークを介して接続されている家電機器を制御する。例えば、ホームゲートウェイ１９５は、アグリゲータサーバ１５０等から節電要求を受け付けた場合に、当該節電要求を満たすように各家電機器を制御できる。
【００３１】
また、ホームゲートウェイ１９５は、（図示しない）需要家の家庭や施設内のネットワークを介して接続されている家電機器から、家電機器の操作履歴や家電機器の設定情報を取得する。そして、ホームゲートウェイ１９５は、取得した操作履歴及び設定情報を、公衆ネットワーク１９８を介して、データサーバ１２０に送信する。
【００３２】
操作履歴や設定情報を送信する対象となる家電機器としては、例えば、エアコン、テレビジョン表示装置、録画装置、洗濯機（特に乾燥機）、自動掃除機、冷蔵庫などが考えられる。
【００３３】
例えば、テレビジョン表示装置の操作履歴をデータサーバ１２０に送信することで、データサーバ１２０は、需要家のテレビジョン表示装置による視聴の有無の他に、需要家が視聴していた番組等を認識することができる。これにより、データサーバ１２０は、需要家が視聴していた番組に基づいて、需要家の嗜好を判別し、当該嗜好に基づいた広告情報等を送付することができる。
【００３４】
他の例としては、エアコンの操作履歴をデータサーバ１２０に送信することで、データサーバ１２０は、需要家のエアコンの設定温度等を認識することができる。
【００３５】
さらには、データサーバ１２０は、自動掃除機や洗濯機等の運転予約の設定情報に基づいて、節電要求の対象となる時間帯で使用される電力量を推測することが可能となる。
【００３６】
情報端末１８０は、需要家が利用する情報端末であって、通信部１８１と、表示部１８２と、入力部１８３と、制御部１８４と、を備えている。情報端末１８０としては、例えば、需要家が使用する携帯端末、スマートフォン又はタブレット端末などが考えられる。
【００３７】
制御部１８４は、情報端末１８０全体を制御する。また、制御部１８４は、図示しない記憶装置上に記憶されたポイント用アプリケーション１８５を実行することで、制御部１８４内にポイント用アプリケーション１８５に含まれる各構成を実現する。
【００３８】
入力部１８３は、需要家からの操作を入力処理する。表示部１８２は、様々な情報を表示する。通信部１８１は、他の装置との間で情報の送受信を行う。
【００３９】
ポイント用アプリケーション１８５は、小売業者の集計サーバ１３０や、データサービス業者のデータサーバ１２０等と連携して、アグリゲータから付与されたポイントや、小売業者で利用可能なポイント等の情報を表示する。
【００４０】
小売業者は、ＰＯＳ端末１９０と、集計サーバ１３０と、商品管理サーバ１４０と、を設けている。小売業者は、商品の購入を促すために、商品の情報等をデータサービス業者に対して提供する。
【００４１】
ＰＯＳ端末１９０は、需要家が小売業者から商品を購入する際に使用される端末であって、商品販売の売り上げ実績を、集計サーバ１３０に送信する。さらに、本実施形態のＰＯＳ端末１９０は、需要家がポイントを利用して商品を購入した場合に、当該ポイントの更新処理を、集計サーバ１３０に対して要求する。
【００４２】
集計サーバ１３０は、通信部１３１と、集計データ記憶部１３２と、制御部１３３と、を備えている。
【００４３】
集計データ記憶部１３２は、ＰＯＳ端末１９０で購入処理が行われた商品に関する情報を管理する。さらに、集計データ記憶部１３２は、顧客毎の商品の購入履歴情報や、顧客毎のポイントに関する情報を記憶する。
【００４４】
制御部１３３は、集計サーバ１３０全体を管理する構成であり、ＰＯＳ端末１９０から送信されてきた、各顧客が購入した商品等が示された会計情報や使用されたポイント情報に基づいて、集計データ記憶部１３２を更新する。
【００４５】
通信部１３１は、他の装置との間で情報の送受信を行う。例えば、通信部１３１は、公衆ネットワーク１９８を介して、顧客毎の商品の購入履歴情報を、データサーバ１２０に送信する。
【００４６】
商品管理サーバ１４０は、通信部１４１と、商品データ記憶部１４２と、制御部１４３と、入力部１４４と、を備えている。
【００４７】
入力部１４４は、小売業者の店員から操作を受け付ける。例えば、入力部１４４は、入荷された商品毎の価格の変更等の入力を受け付ける。
【００４８】
商品データ記憶部１４２は、小売業者が販売するために有する商品の在庫情報（例えば点数）や、商品の価格等の情報を記憶する。
【００４９】
制御部１４３は、商品管理サーバ１４０全体を制御する。通信部１４１は、他の装置との間で情報の送受信を行う。例えば、通信部１４１は、公衆ネットワーク１９８を介して、商品データ記憶部１４２に記憶されている商品の在庫情報を、データサーバ１２０に送信する。
【００５０】
アグリゲータは、アグリゲータサーバ１５０を設けている。アグリゲータサーバ１５０は、通信部１５１と、制御部１５２と、を備えている。
【００５１】
通信部１５１は、他の装置との間で情報の送受信を行う。制御部１５２は、アグリゲータサーバ１５０全体を制御する構成であって、図示しない制御プログラムを実行することで、節電要求部１５３と、ネガワット管理部１５４と、ポイント演算部１５５と、を実現する。
【００５２】
節電要求部１５３は、電力管理サーバ１６０からのデマンドレスポンスの発動要請に基づいて、通信部１５１を介して、各需要家のホームゲートウェイ１９５、情報端末１８０、データサーバ１２０に対して、節電を要求する。
【００５３】
ネガワット管理部１５４は、節電要求に従って、各需要家で創出されたネガワットを管理する。ポイント演算部１５５は、各需要家で創出されたネガワットに対応するものとして、各需要家に受け渡すためのポイントを算出する。なお、ポイント演算部１５５により算出されるポイントの原資は、電力管理サーバ１６０の協力金演算部１６５により算出された協力金とする。
【００５４】
データサービス業者は、データサーバ１２０を設けている。データサーバ１２０は、制御部１２１と、通信部１２２と、記憶部１２３と、を備えている。
【００５５】
記憶部１２３は、気象データ記憶部１２４と、顧客記憶部１２５と、ポイント記憶部１２６と、需要家記憶部１２７と、を備えている。
【００５６】
気象データ記憶部１２４は、気象情報管理サーバ１１０から送信されてきた、地域毎の天気や気象に関する情報を記憶する。
【００５７】
顧客記憶部１２５は、小売業者が商品を販売する顧客（需要家）に関する情報を記憶する。さらに、顧客記憶部１２５は、小売業者が商品を販売する顧客（需要家）と、アグリゲータが契約している需要家と、の対応関係を記憶している。さらには、顧客記憶部１２５は、需要家の情報端末１８０等に連絡するためのメールアドレスを記憶する。
【００５８】
ポイント記憶部１２６は、需要家がアグリゲータから取得したポイントと、需要家がアグリゲータから取得したポイントを小売業者で使用するために変換したポイントの情報と、を記憶している。
【００５９】
需要家記憶部１２７は、アグリゲータが契約している需要家ごとに、当該需要家の家電機器の操作履歴、及び家電機器の設定情報等を記憶する。
【００６０】
本実施形態のデータサーバ１２０は、需要家に対して、ポイント用アプリケーションを提供している。そして、需要家が、情報端末１８０上でポイント用アプリケーション１８５をダウンロードすると、当該ポイント用アプリケーション１８５が実行可能となる。
【００６１】
そして、需要家が、情報端末１８０上でポイント用アプリケーション１８５を実行した際に、様々な初期設定を行う必要がある。需要家が初期設定を行うことで、データサーバ１２０の顧客記憶部１２５に顧客に関する様々な情報が登録される。これにより、小売業者のポイントを使用するために参加したマーケティング・プログラムのユーザＩＤと、アグリゲータからポイントを取得するために参加したマーケティング・プログラムのユーザＩＤと、の対応関係が登録される。これにより、データサーバ１２０は、ポイントの変換が可能となる。
【００６２】
また、データサービス業者は、小売業者と契約する。これにより、データサーバ１２０の顧客記憶部１２５には、集計サーバ１３０から送信された、小売業者のポイントを使用するためにマーケティング・プログラムに参加している顧客（需要家）毎の購入履歴情報を記憶する。さらには、データサーバ１２０の顧客記憶部１２５には、商品管理サーバ１４０から送信された、小売業者の在庫情報を記憶する。
【００６３】
同様に、データサービス業者は、アグリゲータとも契約する。これにより、データサーバ１２０のポイント記憶部１２６には、アグリゲータサーバ１５０から送信された、需要家毎に付与されたポイント情報を記憶する。
【００６４】
通信部１２２は、他の装置との間で情報の送受信を行う。制御部１２１は、データサーバ１２０全体を制御する構成であって、図示しない制御プログラムを実行することで、図４に示されるように、受信制御部３０１と、ポイント取得部３０２と、ポイント変換部３０３と、広告生成部３０４と、送信制御部３０５と、を実現する。
【００６５】
受信制御部３０１は、気象情報管理サーバ１１０から天気に関する情報や、アグリゲータサーバ１５０から需要家のポイントに関する情報や、商品管理サーバ１４０から商品に関する情報を受信する。また、受信制御部３０１は、ホームゲートウェイ１９５から、需要家の家電機器の操作履歴や、家電機器の設定情報を受信する。
【００６６】
さらに、受信制御部３０１は、アグリゲータサーバ１５０から節電要求を受信する。
【００６７】
ポイント取得部３０２は、受信制御部３０１を介して、アグリゲータサーバ１５０から、ピーク等の時間帯の電力の使用の抑止に協力したことの対価として、アグリゲータから需要家に付与したポイントの情報を取得する。
【００６８】
ポイント変換部３０３は、ポイント取得部３０２が取得した、アグリゲータが需要家に付与したポイントを、小売業者で商品を購入する際に金銭の代わりとして利用可能なポイントに変換する。このポイントの変換は、需要家からの要求に応じてでも良いし、データサーバ１２０が自動的に行っても良い。さらに、ポイントを交換する際の交換率は、どのように設定しても良い。
【００６９】
広告生成部３０４は、気象情報管理サーバ１１０から天気に関する情報、アグリゲータサーバ１５０から需要家のポイントに関する情報、及び商品管理サーバ１４０から商品に関する情報に基づいて、需要家に送信するための広告情報を生成する。
【００７０】
図５は、本実施形態の広告生成部３０４がメールを生成する際の流れを例示した図である。図５に示されるように、データサーバ１２０の通信部１２２は、気象情報管理サーバ１１０から、天気履歴情報、天気予報情報、及び天気予測情報を受信する。さらに、データサーバ１２０の通信部１２２は、アグリゲータサーバ１５０から、デマンドレスポンス要求に関する情報、需要家の個人情報、需要家のポイント情報、需要家の電力使用履歴、及び需要家の電力料金プラン情報を受信する。さらに、データサーバ１２０の通信部１２２は、集計サーバ１３０から、需要家の購買情報、需要家のポイント使用情報、商品情報（特徴・在庫・消費期限等）デマンドレスポンス要求に関する情報、需要家の個人情報、需要家のポイント情報、需要家の電力使用履歴、及び需要家の電力料金プラン情報を受信する。
【００７１】
さらに、データサーバ１２０の通信部１２２は、ホームゲートウェイ１９５から需要家の家電機器の操作履歴や、家電機器の設定情報を受信する。
【００７２】
そして、広告生成部３０４が、受信した様々な情報に基づいて、需要家に送信するためのメールを生成する。例えば、デマンドレスポンスに応じて、需要家が節電するような広告情報を生成しても良い。他の例としては、需要家の購買情報に基づいて、需要家の関心が高そうな商品であり、且つ在庫に余裕がある商品を、勧める広告情報を生成しても良い。さらには、需要家の電力使用履歴に基づいて、需要家の生活パターンを予測し、当該生活パターンと一致した商品を勧める広告情報を生成しても良い。
【００７３】
また、広告生成部３０４は、需要家記憶部１２７に記憶された、需要家の家電機器の操作履歴や家電機器の設定情報に基づいて、需要家の趣味や嗜好を推測し、当該趣味や嗜好に該当した商品を勧める広告情報を生成してもよい。例えば、テレビジョン表示装置の操作履歴から、視聴していた番組等を特定し、当該番組に関連する商品や、当該番組の間で宣伝された商品を勧める広告情報を生成してもよい。
【００７４】
例えば、広告生成部３０４は、節電が必要な電力量に基づいて、需要家毎の電力使用量の閾値を算出し、当該閾値以上の電力量を使用すると推測される需要家に対して、節電を促すことができれば効率的である。そのためには、外出している需要家や、あまり電力を消費しない需要家ではなく、節電して欲しい時間帯（例えばピーク時間帯）に特に電力を消費する需要家の趣味や嗜好に該当した商品を勧める広告情報を生成すればよい。これにより、特に電力消費量の大きい需要家を当該時間帯に外出させ、節電を促すことができる。
【００７５】
送信制御部３０５は、通信部１８１を介して、広告生成部３０４が生成した広告情報を情報端末１８０に送信する。送信する広告情報としては、例えば、ポイント取得部３０２が取得したポイントや、ポイント変換部３０３により変換されたポイントを利用可能な商品の広告情報が考えられる。
【００７６】
図６は、本実施形態のデータサーバ１２０の広告生成部３０４により生成される、広告情報の第１の例を示した図である。
【００７７】
図６に示される広告情報を生成する際には、受信制御部３０１が、アグリゲータサーバ１５０から、電力の使用量がピークとなる時間帯における電力の使用を抑止させる、いわゆるデマンドレスポンスの要求を受信する。この場合に、送信制御部３０５が、電力の使用を低減させるための情報を、情報端末１８０に対して送信する。そこで、本実施形態の広告生成部３０４では、需要家を、電力の使用を低減させる行動に導くための広告情報を生成する。この広告情報には、ピーク時間帯に小売業者の店舗にきた又は商品を購入した場合に、ポイント情報を付与する旨が記載されている。
【００７８】
図６に示される広告情報の例では、欄６０１には、アグリゲータサーバ１５０からの節電要求に応じて、時間帯別に付与されるポイント数が示されている。このポイント数は、ピーク時間帯に近づくほど高くなるように設定されている。このようにデマンドレスポンスの要求の高さに従って、時間帯毎に需要家に付与するポイントを異ならせている。
【００７９】
このように時間帯に応じたポイント数を付与することで、需要家に対して、ピーク時間帯に近づくほど、小売業者の店舗に行くモチベーションを向上させる。つまり、ピーク時に需要家が店舗に行く際に、家電機器等の電気を消してから行くと考えられるため、デマンドレスポンス要求に応じた、ピーク時における電力の使用量の削減に貢献できる。
【００８０】
また、広告生成部３０４は、欄６０２に示されるような、家電機器を停止させた場合の電力、ＣＯ２の削減量と、家電機器を停止させた場合に付与されるポイントを提示しても良い。これにより、家電機器の電気を消した場合に生じる利点を認識できるため、需要家に対して節電のモチベーションの向上を図ることができる。
【００８１】
さらには、欄６０３に示されるように、需要家の購買履歴に基づいて、需要家の興味があると推測される商品を表示しても良い。その際に、小売業者の在庫情報を参照して、在庫に余裕がある商品を優先的に表示しても良い。また、需要家の家電機器の操作履歴や家電機器の設定情報に基づいて、需要家の興味があると推測される商品を表示してもよい。例えば、テレビジョン表示装置の操作履歴に基づいた視聴履歴から、子供向けの番組の視聴が多いと判断される場合には、当該子供向け番組の関連グッズや、子供向け商品を表示することで、当該需要家に特化した広告を行ってもよい。
【００８２】
これにより、送信制御部３０５は、需要家のテレビジョン表示情報の視聴情報に基づいた商品の広告情報を送信できる。
【００８３】
図６に示す例では、需要家が店舗に行くように促す広告情報を表示する例について説明した。しかしながら、このような広告情報を表示することに制限するものではない。
【００８４】
図７は、本実施形態のデータサーバ１２０の広告生成部３０４により生成される、広告情報の第２の例を示した図である。図７に示される広告情報は、需要家の情報端末１８０のポイント用アプリケーション１８５が表示する画面例とする。
【００８５】
図７に示される広告情報の例では、タイムセールの表示欄７０３と共に、節電プログラムに参加するか否かを選択可能とした例について説明する。図７に示す例では、電力の需要曲線と、電力の供給曲線と、が示されており、時間帯毎に節電に参加した場合に付与されるポイントが示されている。例えば、入力部１８３が、当該画面から、１２時〜１４時の時間帯７０１の選択を、需要家から受け付けた場合に、情報端末１８０の表示部１８２が、当該時間帯の節電への参加を確認するためのポップアップ７０２を表示する。さらに、入力部１８３が、当該ポップアップ７０２で“はい”７０４の選択を需要家から受け付けた場合に、通信部１８１が、ホームゲートウェイ１９５に対して、当該時間帯において、家電機器の電力の使用量を削減するよう要求する。これにより、需要家は、ピーク時間帯で節電行動を行うことができる。さらには、表示欄７０３にピーク時間帯におけるタイムセールを表示する。これにより、需要家がピーク時間帯に店舗に行った場合に、さらなる電力の使用量の削減を実現できる。
【００８６】
また、タイムセールの表示欄７０３では、需要家の購買履歴や、家電機器の操作履歴、家電機器の設定情報等から推定された、需要家ごとの趣味、嗜好に合わせた広告情報を表示してもよい。図７に示す例では、○店に来店した場合には、需要家の趣味、嗜好に合わせたクーポンとして、ピーク時間にのみ利用可能なアイスクリーム無料引き替えクーポンが表示されている。このため、需要家は、広告情報に従って、図７に示す例では当該アイスクリーム無料引き替えクーポンを使用したいため、ピーク時間に外出する傾向を向上させることができる。
【００８７】
このように、当該広告情報を表示することで、需要家が店舗に行く意欲を向上させることができる。
【００８８】
ところで、一般的に、需要家が店舗に行く等の外出する際には、家庭内のエアコンやテレビジョン表示装置等を停止させることが多い。そこで、本実施形態のデータサーバ１２０は、このような傾向を鑑みて、需要家の家庭内のエアコンを停止させたい場合に、図７に例示した、需要家に店舗に行くのを促すような広告情報を送信することとした。
【００８９】
また、エアコン等を停止する場合に、図７で提示されたような節電プログラムに参加すれば、需要家は、さらなる恩恵を受けることができる。このため、需要家が、広告情報に従って店舗に行き、家庭内のエアコンを停止させる場合に、図７で提示されたような節電プログラムを提示することで、需要家が当該節電プログラムに参加する傾向が高くなると考えられる。このように、本実施形態では、需要家に広告情報を送信することで、需要家の節電プログラムに参加する意欲を向上させることができる。
【００９０】
より詳細に説明すると、データサーバ１２０は、需要家記憶部１２７に記憶されている家電機器の操作履歴、及び設定情報から、真夏に他の需要家と比べてエアコンで低い温度を設定している、換言すると暑がりと推測される需要家Ａを特定できる。そして、データサーバ１２０は、集計サーバ１３０から受信した、顧客毎の商品の購入履歴情報から、需要家Ａがチョコレートが好きという嗜好が推定される場合に、節電したい時間（ピーク時間）帯に利用可能な、商品「プレミアムチョコレートアイスクリーム」の無料券を、タイムセールの広告情報として提示する。このように、本実施形態では、当該需要家Ａの趣味嗜好に合わせた広告情報を表示することで、需要家Ａに対して店舗への外出を促すことができる。
【００９１】
また、データサーバ１２０の需要家記憶部１２７に記憶されている家電機器の操作履歴、及び設定情報から、真夏にエアコンをほとんど使用しないと推測される需要家Ｂに対しては、需要家Ａに提示した広告情報では効果が小さいことが考えられる。そして、本実施形態のデータサーバ１２０が、家電機器の操作履歴、及び設定情報から、需要家Ｂに対しては、定期的に購入している商品の広告情報の方が効果あると推定した場合、商品「プレミアムチョコレートアイスクリーム」の無料券の代わりに、需要家Ｂが日常的に購入している商品を含むタイムセールの広告情報を需要家Ｂに対して送信する。このように、本実施形態のデータサーバ１２０は、全ての需要家に一律な広告情報を表示するのではなく、需要家毎に効果が高い広告情報を提示している。
【００９２】
図８は、本実施形態の広告情報において、需要家毎に表示されるタイムセールの表示の違いを例示した図である。図８に示されるように、需要家の趣味、嗜好に応じて異なる商品が表示されていることが確認できる。さらに、図８に示されるように、需要家毎に異なる商品を表示する際に、商品に応じて割引率、無料クーポンであるか否か、限定商品であるか否か等を異ならせても良い。このように、需要家毎の趣味嗜好に応じた広告情報を表示し、外出することを促すことで、家庭内で消費される電力の削減できると考えられる。本実施形態では、需要家の趣味、嗜好に応じた広告を行うことで、需要家の特性に応じた節電のモチベーション向上を図ることができる。
【００９３】
さらには、データサーバ１２０は、情報端末１８０に対して、需要家が行った節電情報を送信しても良い。図９は、本実施形態のデータサーバ１２０の制御部１２１により生成される、節電情報を例示した図である。図９に示される節電情報は、需要家の情報端末１８０のポイント用アプリケーション１８５の画面として提供される。
【００９４】
図９に示される節電情報の画面例では、欄８０１において、需要家が選択した単位毎の節電量（換言すれば、ネガワット量）を表示する。また、欄８０２において、需要家が行った節電に基づいて付与されたポイントの情報が表示されている。さらに、欄８０３において、付与されたポイントの大きい順を示した順位が示されている。これにより、需要家が、当該順位を参照することで、節電のモチベーションの向上を図ることができる。
【００９５】
図１０は、本実施形態のデータサーバ１２０の広告生成部３０４により生成される、広告情報の第３の例を示した図である。図１０に示される広告情報は、需要家の情報端末１８０のポイント用アプリケーション１８５の画面として提供される。図１０に示される画面例では、需要家の現在のポイントが示されている。さらには、需要家がピーク時間帯に節電した場合に、交換可能な商品を提示する。当該交換可能な商品は、需要家の商品の購入履歴や、当該需要家の趣味、嗜好に基づいて選択された、需要家が興味を持つ可能性が高い商品とする。
【００９６】
このように、本実施形態のデータサーバ１２０は、デマンドレスポンス要求に従って、需要家に節電行動を起こさせるような広告情報等を、情報端末１８０等に送信する。その際に、データサーバ１２０は、需要家に利点がある広告情報を送信している。この当該広告情報に従った行動は、節電を行うために何かに耐える行動ではない。このため、デマンドレスポンス要求に従った節電を容易に実現できる。
【００９７】
さらには、広告生成部３０４は、需要家の電力使用履歴を参照して、電力の使用量が高い家電機器が存在していると推測した場合に、現在販売している家電機器のうち、電力の使用量が低減された家電機器を勧める広告情報を生成しても良い。
【００９８】
本実施形態のデータサーバ１２０は、上述した画面情報や広告情報を出力することで、需要家に対して節電のモチベーションの向上を図ることができる。
【００９９】
さらに、本実施形態では、送信した広告情報に基づいて商品が購入されたか否かを、次に送信する広告情報に決定するために用いてもよい。つまり、広告生成部３０４は、本実施形態の送信制御部３０５により送信された第１の広告情報と、第１の広告情報を送信した後に受信制御部３０１が受信した家電機器の操作履歴と、に基づいて、当該第１の広告情報を受け取った需要家が電力の使用の抑止を行いたいピーク時間帯に、外出したか否か、換言すれば、第１の広告情報に基づいて商品を購入したか否かを推測する。そして、広告生成部３０４は、第１の広告情報に基づいて商品を購入されたと判定された場合には、次の電力の使用の抑止を行いたいピーク時間帯に、同じ商品を提示する広告情報を生成する。第１の広告情報に基づいて商品を購入されたと判定さなかった場合には、当該ピーク時間帯に、異なる商品を提示する広告情報を生成する。なお、本実施形態は、ホームゲートウェイ１９５から送信される操作履歴に基づいて、需要家が外出したか否かを判定する例について説明したが、需要家が外出したか否かの判定を操作履歴に基づいた手法に制限するものではない。集計サーバ１３０からの集計結果（購入履歴情報やポイントに関する情報）に基づいて、需要家が外出したか否かを判定しても良い。
【０１００】
次に、本実施形態の電力管理システムにおける需要家に対して節電要求を行うまでの処理について説明する。図１１は、本実施形態の電力管理システムにおける上述した処理の手順を示すシーケンス図である。
【０１０１】
まず、気象情報管理サーバ１１０の天候予測部１１２が、地域毎の天候を予測する（ステップＳ１００１）。そして、通信部１１３が、予測結果である天気予報等を電力管理サーバ１６０等に送信する（ステップＳ１００２）。
【０１０２】
次に、電力管理サーバ１６０のＤＲ制御部１６３が、受信した天気予報等に基づいて、需要家等による電力の使用量を予測する（ステップＳ１００３）。そして、ＤＲ制御部１６３は、予測した電力の使用量が、電力会社が供給する電力量を上回るか否かを判断する（ステップＳ１００４）。なお、図１１に示すシーケンス図では、上回ると判断された場合について説明する。
【０１０３】
そして、電力管理サーバ１６０のＤＲ制御部１６３が、上回ると判断した場合に、アグリゲータサーバ１５０に対して、デマンドレスポンスに協力した場合に与えられる協力金の通知と共に、デマンドレスポンスの発動を要求する（ステップＳ１００５）。なお、協力金の支払いはどのタイミングで行ってもよく、またどのような支払手法を用いても良い。
【０１０４】
そして、アグリゲータサーバ１５０は、受信したデマンドレスポンスの発動要求に従って、需要家の情報端末１８０やホームゲートウェイ１９５に対して節電を要求する（ステップＳ１００６）。
【０１０５】
さらに、アグリゲータサーバ１５０は、受信したデマンドレスポンスの発動要求に従って、データサーバ１２０に対して節電を要求する（ステップＳ１００７）。データサーバ１２０は、情報端末１８０に対して、情報端末１８０を所持する需要家の趣味、嗜好に合わせた広告情報を送信する（ステップＳ１００８）。
【０１０６】
上述した処理手順により、需要家毎にデマンドレスポンスに応じた節電が開始される。
【０１０７】
次に、本実施形態の電力管理システムにおける需要家が行った節電から、当該需要家に対して広告を送信するまでの処理について説明する。図１２は、本実施形態の電力管理システムにおける上述した処理の手順を示すシーケンス図である。
【０１０８】
まず、需要家の家庭又は施設に設けられた電力管理端末１７０の計測部１７３が、家庭又は施設内で使用された電力を計測する（ステップＳ１１０１）。そして、電力管理端末１７０の通信部１７１が、電力使用量をアグリゲータサーバ１５０に送信する（ステップＳ１１０２）。アグリゲータサーバ１５０は、需要家毎に送信される電力使用量から、需要家毎に行われた節電量、換言すれば需要家毎に創出されたネガワットを算出できる。
【０１０９】
そして、アグリゲータサーバ１５０のポイント演算部１５５は、需要家毎に、ネガワットに対応するポイントを発行し、記録する（ステップＳ１１０３）。このポイントは、金銭の代わりとして利用可能とする。なお、当該ポイントの原資は、電力会社からの協力金とする。
【０１１０】
そして、アグリゲータサーバ１５０の通信部１５１が、需要家毎に発行したポイント情報を、データサーバ１２０に通知する（ステップＳ１１０４）。これにより、データサーバ１２０は、ポイント記憶部１２６に需要家毎のポイント情報を記憶する。
【０１１１】
次に、データサーバ１２０の通信部１２２は、需要家の情報端末１８０から、小売業者用のポイントへの交換要求を受信する（ステップＳ１１０５）。
【０１１２】
そして、データサーバ１２０のポイント変換部３０３は、交換要求に応じて、アグリゲータから付与されたポイントを、小売業者用のポイントに変換し、記録する（ステップＳ１１０６）。なお、変換されたポイントに関する情報は、データサーバ１２０のポイント記憶部１２６で管理するほか、情報端末１８０や集計サーバ１３０等で管理するようにしても良い。
【０１１３】
そして、データサーバ１２０の通信部１２２が、情報端末１８０に対して、変換完了を通知する（ステップＳ１１０７）。
【０１１４】
これにより、需要家は、小売業者の店舗において、情報端末１８０で需要家の認証を行った際に、ポイントを利用して商品を購入できる。その際に、情報端末１８０は、ＰＯＳ端末１９０との間で、ポイントの利用で、商品を購入するための処理を行う（ステップＳ１１０８）。
【０１１５】
そして、ＰＯＳ端末１９０、及び集計サーバ１３０は、商品の購入処理を行う（ステップＳ１１０９）。そして、集計サーバ１３０は、情報端末１８０に対して電子レシートを通知する（ステップＳ１１１０）。そして、集計サーバ１３０においては、当該需要家が購入した商品に関する情報を記憶する。
【０１１６】
さらに、集計サーバ１３０の通信部１３１が、データサーバ１２０に対して、需要家の購入情報、及びポイント情報を通知する（ステップＳ１１１１）。
【０１１７】
一方、データサーバ１２０は、商品管理サーバ１４０から、小売業者の在庫情報を受信する（ステップＳ１１１２）。
【０１１８】
また、データサーバ１２０は、ホームゲートウェイ１９５から、需要家の家電機器の操作履歴、及び家電機器の設定情報を受信する（ステップＳ１１１３）。
【０１１９】
そして、データサーバ１２０は、受信した在庫情報、需要家の購入情報、需要家の操作履歴に基づいた趣味、嗜好、及びポイント情報に基づいて、需要家に対して適切な商品等が記載された広告情報を生成し、当該広告情報を送信する（ステップＳ１１１４）。
【０１２０】
その後、集計サーバ１３０の通信部１３１が、データサーバ１２０に対して、広告情報を送信した需要家の購入情報、及びポイント情報を通知する（ステップＳ１１１５）。これにより、データサーバ１２０は、需要家が広告情報に応じて、商品を購入したのか否かを認識できる。
【０１２１】
そして、データサーバ１２０は、趣味、嗜好に基づいた広告情報と、ステップＳ１１１５の需要家の購入情報等に基づいた、需要家の外出の有無と、を対応付けて記憶する。これにより、広告情報に従って、店舗まで外出したか否かを認識できるため、次に、節電要求に応じて広告情報を生成する際に、より需要家の特性に応じた広告情報を生成できる。
【０１２２】
上述した処理手順により、データサーバ１２０は、小売業者の在庫、及び需要家のニーズに応じた広告情報を送信できる。
【０１２３】
さらには、データサービス業者が、アグリゲータからの要求に応じて、需要家が節電行動に出るような広告情報を提供しても良い。本実施形態の電力管理システムにおける、需要家が節電行動に出るような広告情報を送信するまでの処理について説明する。図１３は、本実施形態の電力管理システムにおける上述した処理の手順を示すシーケンス図である。
【０１２４】
まず、アグリゲータサーバ１５０の通信部１５１は、データサーバ１２０に対して、電力管理サーバ１６０からのデマンドレスポンスに応じた節電要求情報を送信する（ステップＳ１２０１）。
【０１２５】
次に、アグリゲータサーバ１５０の通信部１５１は、データサーバ１２０に対して、需要家の電力の使用履歴情報を送信する（ステップＳ１２０２）。
【０１２６】
また、データサーバ１２０の通信部１２２は、ホームゲートウェイ１９５から、家電機器の操作履歴、及び家電機器の設定情報を受信する（ステップＳ１２０３）。家電機器の操作履歴、及び家電機器の設定情報は、需要家記憶部１２７に記憶される。
【０１２７】
さらに、データサーバ１２０の通信部１２２は、商品管理サーバ１４０から、小売業者の商品情報を受信する（ステップＳ１２０４）。
【０１２８】
そして、データサーバ１２０の広告生成部３０４が、需要家に応じた広告情報を生成する（ステップＳ１２０５）。当該広告情報は、需要家が節電を行いたい時間帯に、小売業者の店舗に来店を促すような情報が記載されており、例えば、図６、図７又は図１０で示したような画面例が考えられる。
【０１２９】
次に、データサーバ１２０の通信部１２２が、情報端末１８０に対して、生成した広告情報を送信する（ステップＳ１２０６）。そして、需要家が、情報端末１８０に送信されてきた広告情報を参照する（ステップＳ１２０７）。これにより、需要家は、節電行動に移る。例えば、需要家は、商品のピーク時間におけるタイムセールが行われることを、広告情報から認識して、家電機器の運転を停止させる（ステップＳ１２０８）。この需要家の活動によって、ネガワットが創出される。そして、電力管理端末１７０は、節電行動に応じて停止された家電機器を含む、家庭や施設内で使用されている電力を計測し続ける（ステップＳ１２０９）。
【０１３０】
需要家は、タイムセールに行くために、小売業者の店舗に移動する（ステップＳ１２１０）。そして、需要家は、広告情報に従って、小売業者から商品を購入できる。需要家のピーク時間帯における、小売業者の店舗への移動や、当該小売業者からの商品の購入により、需要家に対して広告情報で示されていたポイントが付与される。なお、当該ポイントの付与の原資は、電力会社からの協力金とする。
【０１３１】
一方、電力管理端末１７０は、家庭や施設内で計測された電力の使用量を、アグリゲータサーバ１５０に送信する（ステップＳ１２１１）。
【０１３２】
そして、アグリゲータサーバ１５０のポイント演算部１５５は、受信した電力使用量から、家電機器の運転停止によって創出されたネガワットに対応するポイントを、需要家に対して発行、記録する（ステップＳ１２１２）。
【０１３３】
上述した処理手順により、需要家に節電行動を起こさせることで、ネガワットの創出を実現できる。
【０１３４】
上述した実施形態では、需要家が貯めたポイントを利用可能な商品等が記載された広告情報を送信する。これにより、需要家は、ポイントの利用先を容易に認識できる。そこで、需要家は、ポイントを蓄積するためのモチベーションの維持や節電を行うための動機付けが可能となる。これにより、デマンドレスポンスに対応する、需要家の節電の協力が実現できる。
【０１３５】
また、本実施形態においては、受信制御部３０１は、第１の需要家の家庭内に設けられたホームゲートウェイ１９５から、家電機器の第１の操作履歴と家電機器の第１の設定情報を受信すると共に、第２の需要家の家庭内に設けられたホームゲートウェイ１９５から、家電機器の第２の操作履歴と家電機器の第２の設定情報を受信している。そして、送信制御部３０５は、第１の操作履歴且つ第１の設定情報と、第２の操作履歴且つ第２の設定情報と、に基づいて、第１の需要家及び第２の需要家のうち、家庭内の電力の消費が大きいと推測される需要家を優先的に、当該需要家の情報端末１８０に対して、商品の広告情報を送信する。
【０１３６】
そこで、図１３のステップＳ１２０５における、データサーバ１２０の広告生成部３０４が、電力の消費が大きいと推定される需要家に対して優先的に広告情報を生成する手順について説明する。図１４は、本実施形態のデータサーバ１２０の広告生成部３０４における上述した処理の手順を示すシーケンス図である。
【０１３７】
まず、データサーバ１２０の広告生成部３０４は、アグリゲータサーバ１５０から送信された節電要求情報に基づいて、需要家に広告情報を送信する電力消費量の閾値を設定し、需要家の電力使用履歴に基づいた電力使用予測量が、設定した所定の閾値以上であるか否かを判定する（ステップＳ１４０１）。
【０１３８】
広告生成部３０４は、電力使用予測量が、設定した所定の閾値より小さいと判定した場合（ステップＳ１４０１：Ｎｏ）、広告生成部３０４は、需要家記憶部１２７に記憶されている、次の需要家を処理の対象として（ステップＳ１４０２）、再びステップＳ１４０１の処理に遷移する。
【０１３９】
一方、広告生成部３０４は、電力使用予測量が、設定した所定の閾値以上と判定した場合（ステップＳ１４０１：Ｙｅｓ）、広告生成部３０４は、需要家記憶部１２７に記憶されている、需要家の家電機器の操作履歴、及び家電機器の設定情報に基づいて、需要家の趣味、嗜好を推測する（ステップＳ１４０３）。
【０１４０】
そして、広告生成部３０４は、推測された需要家の趣味、嗜好と、小売業者の商品情報と、に基づいて、節電要求期間用の広告情報を生成する（ステップＳ１４０４）。
【０１４１】
なお、本実施形態では、電力を消費する傾向が高い需要家に対して、優先的に広告情報を送信する例について説明したが、電力の消費傾向が低い需要家に対しても、趣味、嗜好に応じた広告情報を送信しても良い。
【０１４２】
なお、本実施形態では、家電機器の操作履歴に基づいて、広告情報を送信する例について説明したが、家電機器の設定情報（例えばテレビジョン表示装置やエアコンの自動で電源を入れるタイマー情報や、自動で走行可能な掃除機の掃除開始に関する予約情報）に基づいて、広告情報を送信してもよい。例えば、データサーバ１２０が、これら家電機器の自動で電源を入れる予約を取り消して、出店を促すような広告情報の送信などが考えられる。
【０１４３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１４４】
１１０…気象情報管理サーバ、１１１…天気情報管理部、１１２…天候予測部、１１３…通信部、１２０…データサーバ、１２１…制御部、１２２…通信部、１２３…記憶部、１２４…気象データ記憶部、１２５…顧客記憶部、１２６…ポイント記憶部、１２７…需要家記憶部、１３０…集計サーバ、１３１…通信部、１３２…集計データ記憶部、１３３…制御部、１４０…商品管理サーバ、１４１…通信部、１４２…商品データ記憶部、１４３…制御部、１４４…入力部、１５０…アグリゲータサーバ、１５１…通信部、１５２…制御部、１５３…節電要求部、１５４…ネガワット管理部、１５５…ポイント演算部、１６０…電力管理サーバ、１６１…通信部、１６２…制御部、１６３…ＤＲ制御部、１６４…ネガワット管理部、１６５…協力金演算部、１７０…電力管理端末、１７１…通信部、１７２…表示部、１７３…計測部、１８０…情報端末、１８１…通信部、１８２…表示部、１８３…入力部、１８４…制御部、１８５…ポイント用アプリケーション、１９０…ＰＯＳ端末、１９５…ホームゲートウェイ、１９８…公衆ネットワーク、３０１…受信制御部、３０２…ポイント取得部、３０３…ポイント変換部、３０４…広告生成部、３０５…送信制御部。
【図１】
2016126475.tif 000003
【図２】
2016126475.tif 000004
【図３】
2016126475.tif 000005
【図４】
2016126475.tif 000006
【図５】
2016126475.tif 000007
【図６】
2016126475.tif 000008
【図７】
2016126475.tif 000009
【図８】
2016126475.tif 000010
【図９】
2016126475.tif 000011
【図１０】
2016126475.tif 000012
【図１１】
2016126475.tif 000013
【図１２】
2016126475.tif 000014
【図１３】
2016126475.tif 000015
【図１４】
2016126475.tif 000016